(57)【要約】  はんだ接続（１８）でキャリア基板（１０）の第１面（１１）に取り付けられた電子装置（２０）を含む組立部品。前記基板（１０）の前記第１面（１１）は、接続パッド（１５）及びはんだレジスト層（１６）を備える。前記基板（１０）と前記電子装置（２０）の間のどの空間にも封止材料（１９）が充填される。前記基板（１０）は、さらに、外部のボードに対する接続のためのコンタクトパッドを含む。前記はんだレジスト層（１６）は、第１接続パッド（１５）に隣接する開口（１６）を含むパターンに従ってパターニングされる。この開口（１６１）はリング状で、前記第１接続パッドの外周を形成する。このようにして、ビア（１４２）が接続パッド（１５）の下の基板（１０）内に存在する場合にも、層間剥離を防ぐ。
2008507126.tif 000002
【特許請求の範囲】
【請求項１】
はんだ接続でキャリア基板の第１面に取り付けられた電子装置を含む組立部品であって、
前記基板の前記第１面は、接続パッド及びはんだレジスト層を備え、
前記基板と前記電子装置の間のどの空間にも封止材料が充填され、
前記基板は、さらに、外部のボードに対する接続のためのコンタクトパッドを含み、
前記はんだレジスト層は、第１接続パッドに隣接する開口を含むパターンに従ってパターニングされ、当該開口はリング状で、前記第１接続パッドの外周を形成することを特徴とする組立部品。
【請求項２】
前記第１面は、前記キャリア基板の中に広がる垂直内部接続の上部に配置される請求項１又は２に記載の組立部品。
【請求項３】
前記キャリア基板は、電気的絶縁材料及び内部導体を含む請求項３に記載の組立部品。
【請求項４】
前記キャリア基板の前記第１面に取り付けられた第２電子装置をさらに含み、
前記第１及び第２電子装置は、前記キャリア基板上及び／又は前記キャリア基板内に内部接続を介して互いに相互接続される請求項１に記載の組立部品。
【請求項５】
前記第２接続パッドに隣接する第２接続パッドを備え、
前記はんだレジスト層は、リング状で、前記第２接続パッドの外周を形成する第２開口を含み、前記第２開口は、前記第１接続パッドと前記第２接続パッドの間の領域で前記第１開口と結合する請求項１に記載の組立部品。
【請求項６】
リフローはんだ付けプロセスで外部のボード上に組立部品を配置する方法であって、
請求項１乃至５のいずれか１項に記載の組立部品が用いられる方法。
【発明の詳細な説明】
【技術分野】
【０００１】
本発明は、はんだ接続でキャリア基板の第１面に取り付けられる電子装置を含み、基板の第１面は接続パッドとはんだレジスト層を備え、基板と電子装置の間のどのスペースにも封止材料が充填され、基板は、さらに、外部のボードに対する接続のためのコンタクトパッドを含む組立部品に関する。
【０００２】
本発明は、また、リフローはんだ付けプロセスで外部のボード上に組立部品を設ける方法にも関する。
【発明を実施するための最良の形態】
【０００３】
そのような組立部品は、例えば、ＵＳ−Ａ  ２００３／０１１６８６３より知られている。知られている組立部品は、キャリア基板上に搭載された半導体チップを含む。キャリア基板は、ガラスエポキシ樹脂で形成されている。バンプが、はんだ接続として用いられている。バンプは、直径７５μｍ、高さ４５μｍの金で形成されている。はんだレジスト層は、キャリア基板の第１面上の半導体チップの端面から離れて存在する。その間隔は、従来は２００μｍである。
【０００４】
反りがキャリア基板内に存在することが分かる。これは、はんだ接続又は封止材料のボンディング物質が乾燥され／セットされるときの温度より、キャリア基板のガラス転移温度の方が低いという事実のためである。その上、キャリア基板の限界が優れていないにもかかわらず、封止材料の設置は高温での熱処理が必要であり、反りにおいても同様となる。結果として、チップ及びキャリア基板、特に、封止材料とはんだレジスト層の間の接合部分で望ましくない層間剥離が起こる。この問題は、半導体チップの非動作電極と接続し、いかなる電気的機能も有していない追加のはんだ接続の供給によって従来技術文献において解決される。
【０００５】
従来技術の解決策は機能するが、層間剥離を防ぐための高価な解決策である。
【０００６】
それ故に、本発明の目的は、よりコストの安い方法によって層間剥離が防止される冒頭の段落において述べられた種類の組立部品を提供することである。
【０００７】
この目的は、リング状で第１接続パッドの外周を形成するような第１接続パッドの近くに開口を含むパターンに従って、はんだレジスト層がパターニングされることによって達成される。
【０００８】
驚くべきことに、そのような外周の開口が、外部のボード上への組立部品のテスト中又は設置後に、基板及び電子装置の不利益な層間剥離の防止を導くことがわかった。この効果は、はんだレジストと封止材料の接合部分で層間剥離が起こることを示す測定によって説明される。はんだ材料のバンプの溶融温度付近では、層間剥離は増殖し、不具合及び破砕、又は電子装置とキャリア基板の間の電気的接続の短絡を導く可能性がある。トレンチは、このように、層間剥離の増殖を制限し、バンプの流出を防ぐ。
【０００９】
本発明の組立部品の利点は、ＭＳＬテストにおいてより良い結果をもたらすことである。ＭＳＬテストとは、感湿レベルのテストであり、ＪＥＤＥＣ規格の主要部の標準で定められていた。電子部品のパッケージは、ＭＳＬテストにおいて試験される必要がある。このテストでは、パッケージは、一定期間の間は所定の温度と湿度を備えた調整された部屋に置かれる。パッケージは、その後、湿度を上げる。その後は、パッケージは、ある温度での熱処理を含むリフロープロセスを経るようにされる。このことは、湿度がパッケージに相当な力を残しておくという傾向を有するという結果をもたらす。より低いＭＳＬレベル、より良い耐湿性及びより小さな危険のためには、プロセスが外部のボードに組立部品の取り付けをしている間にある必要がある。
【００１０】
本発明が特に役立つのは、第１接続パッドが垂直内部接続の最上部に配置される場合である。そのような第１接続パッド上のはんだ接続は、層間剥離に対して極めて敏感になった。容易な層間剥離という点と応力が増加するという点を斟酌すれば、このことは、基板の局所的な障害が原因であるように思われる。その上、そのような垂直内部接続は、良好な電気的接続と熱的接続である。
【００１１】
開口は１つの接続パッドだけの外周である必要はないことがわかる。２〜３の接続パッド構造の外周であっても良く、類似の形状を有しても良い。これにより、領域を減らし、適切に動作することとなった。両方の接続パッド構造の輪郭の後に続く１つの開口の近くの２つの接続パッド構造の外周は、良好に動作することがわかった。
【００１２】
追加の実施例では、基板は、内部のコンダクタを備えた電気的に絶縁している材料の基板である。そのような基板は、一般的に、多層基板と呼ばれている。電気的に絶縁している材料は、セラミックであっても良いし、十分な充填物の混合物が充填された有機材料であっても良い。さらに、基板は、キャパシタ構造やインダクタ構造のような特有の機能性を持っていても良い。この目的のために、誘電材料及び／又は磁性材料が基板に追加されても良い。その手段は、そのような基板の熱膨張の十分な係数という観点において、有機材料の基板にとって特に適している。しかしながら、代替的には、基板は半導体基板であっても良い。キャリア基板は、好ましくは、外部の接続のためのコンタクトパッドを備えている。これらは、キャリア基板の第１面上又は第２面上のいずれかに、ボールグリッドアレイ、ランドグリッドアレイ、又はＵ型側面コンタクトの形で存在するかもしれない。
【００１３】
封止材料の供給の後に、完全な組立部品が成形材料の形で封止されていることが好ましい。封止材料は、特に、従来からアンダーフィル（ｕｎｄｅｒｆｉｌｌ）として知られている材料であって、エポキシ、ポリイミド、アクリレート等の部類から構成される。成形材料の形で封止する代わりに、金属キャップがガラス層と同様に用いられても良い。
【００１４】
電子装置と基板の間のはんだ接続は、いかなるタイプのはんだ又は金属であっても良い。環境的な理由から、無鉛はんだが好ましい。はんだ接続は、好ましくは、バンプである。
【００１５】
外部のボードに対する接続のためのコンタクトパッドは、終端のコンタクトであっても良いし、ボールグリッドアレイの形のはんだボールであっても良いし、ランドグリッドアレイの形のコンタクトであっても良い。
【００１６】
電子装置は、半導体装置であって、電気接地及び／又は熱接地が最も重要であるような高周波応用及び／又は電力応用に用いられる半導体装置であるのが適当である。しかしながら、ＢＡＷ若しくはＳＡＷフィルタ、又はＭＥＭＳ装置のような受動部品又は同様の部品であっても良い。
【００１７】
組立部品は、キャリア基板の第１面に取り付けられた第２電子装置を含み、第１及び第２電子装置は、キャリア基板及び／又はキャリア基板内に内部接続を介して互いに相互接続されることが好ましい。組立部品は、このように、機能を満たす可能性のあるサブシステムを構成する。サブシステムの例は、１又は複数の周波数帯域のためのさらなる追加の受動部品だけでなく、電力増幅器、アンテナスイッチ、及びマッチング回路を含むフロントエンドモジュールのようなＲＦ応用であっても良い。第２電子装置は、半導体装置であっても良いが、代替的には、受動部品、センサ、受動部品のネットワーク、フィルタ、又は同種のものであっても良い。第２電子装置は、バンプを伴う基板上に配置されても良いが、終端のコンタクトを備える標準的なＳＭＤ部品であっても良い。
【００１８】
当然のことながら、１より多くの接続パッドが存在し、各接続パッドが外周の開口を備えていることが適している。２つの隣り合う接続パッドに関しては、はんだレジスト内の外周の開口が融合しても良い。すなわち、第１接続パッドと第２接続パッドの間にはんだレジスト層が全くない領域がある。
【００１９】
本発明は、さらに、外部のボード上に配置するための本発明の組立部品の利用に関する。
【００２０】
本発明の組立部品の以上及び他の態様は、添付の図面を参照してさらに説明されるであろう。
【００２１】
添付の図面は、寸法通りに示されておらず、異なる図の同様の参照符号は同様の部分について言及する。
【００２２】
図１は、本発明に従う組立部品の断面図を概略的に示す。組立部品は、キャリア基板１０及び電子装置２０、この場合には電力増幅器のような半導体チップを含む。キャリア基板１０は、第１面１１及び反対の第２面１２を有する。接続パッド１５は、キャリア基板の第１面１１上に存在する。一般的には、接続パッド１５は、基板１０の金属層より上に画定され、接着層を備えている。金属層は、例えば、銅又はアルミニウムを含有し、粘着層は、例えば、金、パラジウムと金の合金、又はその他のものを含有する。十分な強度を提供するためには、接続パッドの部分として、バンプの下のメタライゼーションを用いることが適している。このことは本質的に知られている。はんだレジスト層１６は、キャリア基板１０の第１面１１上にも同様に存在する。本発明によれば、このはんだレジスト層１６は特異的パターン内に設けられる。このパターンは、リング状であって、接続パッド１５の外周を形成する開口１６１を含む。接続パッド領域１６２では、はんだレジスト層は、接続パッド１５の表面を適切に画定するように接続パッド１５を部分的に覆う。はんだ接続１８は、接続パッド１５と電子装置２０の対応するパッドとの間に存在する。これらの接続は、電子装置２０及び電気的接続のための機械的な支持を提供する。基本的には、キャリア基板１０と電子装置２０との間に残されたどの空間も、封止材料１９、一般的には、アンダーフィルとして言及された材料が充填されている。
【００２３】
図２は、略断面図の本発明の組立部品の第２実施例を示す。この実施例のキャリア基板１０は、エポキシ材料のコア層１１２及びプリプレグ層１１３によって互いに分離された４つの電気的導電層１１１を含むラミネートであるものとして従来から知られている。さらに、キャリア基板１０は、接続パッド１５の下に直接配置された垂直内部接続１４１を備えている。このことは、設置のために用いられる電気的導電層１１に対する好ましい接続を提供するという目的を有する。他の垂直内部接続１４２は、熱放散のために熱的ビアとして示されている。それは、キャリア基板１０の第１面１１から第２面１２まで広がる。
【００２４】
この実施例では、はんだ接続として用いられるバンプ１８は、この装置２０及びキャリア基板１０を組み立てる前に電子装置２０に取り付けられた。はんだバンプ１８は、直径１５２μｍのバンプメタライゼーションの下（ＵＢＭ）のスパッタされたＡｌ／ＮｉＶ／Ｃｕで覆われたアルミニウムのバンプパッドに適用された。キャリア基板１０は、はんだレジスト層１６内の１７５μｍの円形の開口部によって画定されたＮｉ／Ａｕ被覆を伴う銅の接続パッド１５を有する。はんだペーストは、組立前にキャリア基板１０の接続パッド１５上に設けられた。この例では、７つのバンプ１８が用いられた。電子装置２０は、この例では、インピーダンスマッチングのために用いられる受動ネットワークである。
【００２５】
熱的ビア上のバンプの周りの応力内において、ビア１４２が重要な役割を果たすことが分かった。リフローステップにおける溶融のために、はんだの剛性が低下することも重要である。はんだが非活性化となるときに、その応力は、突然、ビア上のバンプ１６の周りの張力に変化するであろう。ビアが存在しないときは、その応力は、２００℃より高い温度で圧縮応力になるであろう。しかしながら、室温では、接合部分の応力は、ビア１４１、１４２上のバンプ１６の近くで圧縮応力になり、ビア１４１、１４２なしの場合はバンプ１６引張応力になる。明らかに、室温でより高い引張応力は、２００℃より高い温度での低い応力よりも重大ではない。高温でのより小さい接合部分強度は、実際には、極めて適当である。リフローされていないが、アンダーフィルされたダイで行われた剪断変形測定は、室温で２００℃よりも４倍高い強度を示した。この観察結果は、ビア１４１、１４２のみを伴い、はんだレジスト層１６にいかなる開口１６１も伴わないバンプ１６の周辺に２１０°と２３０°の間で層間剥離が発生したことが発見された実験的な観測結果に合致する。はんだレジスト層１６内の開口１６１の伴わない層間剥離の可能性がある状況での界面の応力は、ビアに関するバンプの極めて小さな位置ずれという観点、又はバンプを伴わないビアの状況において増加する傾向にある。層間剥離に関する最後の問題は、溶融はんだが、アンダーフィルに隣接する位置に対して必要とされる場所から流出してしまうという事実である。この不具合は、図３に詳しく示されている。
【００２６】
幾つかの他の装置は、電子装置２０に加えて同じキャリア基板１０上に配置される。これらの装置は、別々の受動部品及び増幅器のような半導体装置を含む。ワイヤボンディングを含む電気的接続のための様々な技術が用いられる。さらに、保護キャップがキャリア基板１０上に設けられる（図示されない）。
【００２７】
組立プロセスは、バンプを伴う組立部品（フリップチップとして知られてもいる）のようなワイヤボンディングと他の組立ステップを組み合わせるための幾つかのステップを含む。
【００２８】
ステップ２では、はんだペースト、例えば、いかなる従来の添加も伴うＳｎＡｇ３．８Ｃｕ０．７はんだペーストがキャリア基板１０の接続パッド１５上に印刷される。ステップ３では、電子装置は、キャリア基板１０の第１面１１上で組み立てられ、そして、はんだ接続は、前のステップではんだペーストが設けられたように接続パッド１５に設けられる。電子装置の組立部品は、電子装置２０のようなバンプで組み立てられる電子装置や、ＳＭＤコンタクトで組み立てられる電子装置を含む。後者の電子装置グループは、例えば、別々の受動部品と別々の能動部品も含む。
【００２９】
ステップ４では、組立部品は、リフローはんだ付けのために炉の中に置かれる。ここでは、ＳＭＤコンタクトを伴う装置とバンプを伴う装置とが電気的に適切に接続される。ステップ５では、用いられなかった又は適切な接続の中に集積されなかったはんだペーストが、従来の洗浄ステップにおいて取り除かれる。
【００３０】
ステップ６では、ラミネート上に設けられた追加の部品のみである。これらは、ワイヤボンディングによって電気的に接続される部品である。これらの追加の部品は、その後に取り除かれる適切な熱伝導性接着剤又は導電性接着剤でキャリア基板に取り付けられる。ステップ７のプラズマ洗浄ステップの後、当業者に知られている方法でステップ８においてワイヤボンディングが作られる。
【００３１】
ステップ９では、はんだ接続１６としてバンプが用いられる場合には、アンダーフィル１９は、電子装置２０とキャリア基板１０の間のどのスペースも充填するように露出している。アンダーフィル１９は、さらに、追加の保護を設けるように、ワイヤボンディングの上に適用されても良い。アンダーフィル１９の分配の後に、取り除かれるステップが続く。
【００３２】
最後に、キャップが設けられ、キャリア基板１０と接着され、キャリア基板１０は、個々の製品の中へ再分割される。
【図面の簡単な説明】
【００３３】
【図１】組立部品の第１実施例の断面図を概略的に示す。
【図２】組立部品の第２実施例の断面図を概略的に示す。
【図３】従来の組立部品の細部の断面図を概略的に示す。
【図１】
2008507126.tif 000003
【図２】
2008507126.tif 000004
【図３】
2008507126.tif 000005
【国際調査報告】
2008507126.tif 000006
2008507126.tif 000007
2008507126.tif 000008